(57)【特許請求の範囲】
【請求項１】
パソコンから入力された設定データを格納するＷＷＷサーバと通信可能なファクシミリ装置を備えるファクシミリ設定システムであって、
上記パソコンは、印字用紙サイズ、電話番号帳等に関する設定データを上記ＷＷＷサーバへ送信することが可能であり、上記ＷＷＷサーバは、上記パソコンからの設定データを保存し、かつ、前記ファクシミリ装置から要求があった場合、上記設定データを前記ファクシミリ装置へ送信するファクシミリ設定システムにおいて、
前記ファクシミリ装置は、電話回線を介して上記ＷＷＷサーバに接続する接続手段と、当該接続手段による接続後に上記設定データを上記ＷＷＷサーバに要求する設定データ要求手段と、上記ＷＷＷサーバから送信された設定データを受信する設定データ受信手段と、上記要求した設定データを全て受信したか否かを判定する受信判定手段と、各種情報を表示する表示部と、を備え、
設定可能な設定登録メニューが前記表示部に表示された状態にて前記接続手段を作動させることにより、前記設定データ受信手段により受信した設定データを前記受信判定手段の判定結果に基づいて上記設定登録メニューに自動的に設定することを特徴とするファクシミリ設定システム。
【請求項２】
パソコンから受信した設定データを格納し、かつファクシミリと電話回線を介して通信可能なＷＷＷサーバを備えるファクシミリ設定システムであって、
上記パソコンは、印字用紙サイズ、電話番号帳等に関する設定データを前記ＷＷＷサーバへ送信することが可能であり、
前記ＷＷＷサーバは、上記パソコンからの設定データを保存し、かつ、上記ファクシミリ装置から要求があった場合、上記設定データを上記ファクシミリ装置へ送信するファクシミリ設定システムにおいて、
前記ＷＷＷサーバは、上記パソコンからの設定データを保存する保存手段と、上記ファクシミリからの要求に応じて上記設定データを上記ファクシミリに送信する送信手段と、上記ファクシミリからの接続要求に基づいてコーラーＩＤ機能により上記ファクシミリを特定するユーザ特定手段と、を備え、
上記ファクシミリからの接続要求により、前記ユーザ特定手段は上記コーラーＩＤ機能により上記ファクシミリを特定し、前記送信手段は、自動的に上記特定されたファクシミリに上記設定データを送信することを特徴とするファクシミリ設定システム。
【発明の詳細な説明】
【０００１】
【発明の属する技術分野】
本発明は、ＷＷＷサーバと、ＷＷＷサーバと通信可能なパソコンと、ＷＷＷサーバと通信可能なファクシミリ装置とを有するファクシミリ設定システム、および、ＷＷＷサーバと、ＷＷＷサーバと通信可能なパソコンと、ＷＷＷサーバと通信可能なファクシミリ装置とから成るシステムにおけるファクシミリ設定方法に関するものである。
【０００２】
【従来の技術】
従来、ファクシミリ装置の機能設定はファクシミリ装置自体で行っていた。この場合、テンキーや＃キー等の限定されたキーで設定を行うことになり、操作が煩雑で、設定の迅速性に欠けていた。
【０００３】
図１１は一般的なファクシミリ装置を示すブロック図である。
【０００４】
図１１において、１１はＣＰＵ（中央処理装置）、１２はプログラムを格納するフラッシュメモリ、１３はファンクションキーとしてのメニューキー、１４は数字キー、１５は上下左右のスクロールを行うためのナビキー、１６は設定を行うための設定キー、１７は外部との通信を行うためのモデムである。
【０００５】
このように構成されたファクシミリ装置について、その設定動作について図１２を用いて説明する。図１２は従来のファクシミリ装置における設定動作を示すフローチャートである。
【０００６】
図１２において、まず、フラッシュメモリ１２に格納された設定のためのプログラムを起動し（Ｓ４１）、名称や印字用紙サイズ、ベル音色、電子電話帳などの設定情報の番号を入力し（Ｓ４２）、その番号に基づく設定情報（たとえば印字用紙サイズ）を表示する。次に、その設定情報に対応するデータ（たとえば印字用紙サイズであれば、Ａ４（設定データ））を数字キー１４や＋メニューキー１３などを使用して入力し（Ｓ４３）、設定キー１６を押して設定を行う（Ｓ４４）。次に、全ての設定が終了したか否かを判定し（Ｓ４５）、終了していないと判定した場合はステップＳ４２に戻る。
【０００７】
【発明が解決しようとする課題】
このように、従来のファクシミリ装置では、数少ないキーを使用して設定情報の設定データを入力する必要があり、操作が煩雑で、機能設定が迅速に行われないという問題点を有していた。
【０００８】
このファクシミリ設定システムおよびファクシミリ設定方法では、ファクシミリ装置の機能設定が容易でかつ設定を迅速に行うことが要求されている。
【０００９】
本発明は、この要求を満たすため、ファクシミリ装置の機能設定が容易でかつ設定を迅速に行うことができるファクシミリ設定システムおよびファクシミリ装置の機能設定が容易でかつ設定を迅速に行うためのファクシミリ設定方法を提供することを目的とする。
【００１０】
【課題を解決するための手段】
上記課題を解決するために、パソコンから入力された設定データを格納するＷＷＷサーバと通信可能なファクシミリ装置を備えるファクシミリ設定システムであって、上記パソコンは、印字用紙サイズ、電話番号帳等に関する設定データを上記ＷＷＷサーバへ送信することが可能であり、上記ＷＷＷサーバは、上記パソコンからの設定データを保存し、かつ、前記ファクシミリ装置から要求があった場合、上記設定データを前記ファクシミリ装置へ送信するファクシミリ設定システムにおいて、前記ファクシミリ装置は、電話回線を介して上記ＷＷＷサーバに接続する接続手段と、当該接続手段による接続後に上記設定データを上記ＷＷＷサーバに要求する設定データ要求手段と、上記ＷＷＷサーバから送信された設定データを受信する設定データ受信手段と、上記要求した設定データを全て受信したか否かを判定する受信判定手段と、各種情報を表示する表示部と、を備え、設定可能な設定登録メニューが前記表示部に表示された状態にて前記接続手段を作動させることにより、前記設定データ受信手段により受信した設定データを前記受信判定手段の判定結果に基づいて上記設定登録メニューに自動的に設定するように構成した。また、パソコンから受信した設定データを格納し、かつファクシミリと電話回線を介して通信可能なＷＷＷサーバを備えるファクシミリ設定システムであって、上記パソコンは、印字用紙サイズ、電話番号帳等に関する設定データを上記ＷＷＷサーバへ送信することが可能であり、前記ＷＷＷサーバは、上記パソコンからの設定データを保存し、かつ、上記ファクシミリ装置から要求があった場合、上記設定データを上記ファクシミリ装置へ送信するファクシミリ設定システムにおいて、前記ＷＷＷサーバは、上記パソコンからの設定データを保存する保存手段と、上記ファクシミリからの要求に応じて上記設定データを上記ファクシミリに送信する送信手段と、上記ファクシミリからの接続要求に基づいてコーラーＩＤ機能により上記ファクシミリを特定するユーザ特定手段と、を備え、上記ファクシミリからの接続要求により、前記ユーザ特定手段は上記コーラーＩＤ機能により上記ファクシミリを特定し、前記送信手段は、自動的に上記特定されたファクシミリに上記設定データを送信するように構成した。
【００１１】
これにより、ファクシミリ装置の機能設定が容易でかつ設定を迅速に行うことができるファクシミリ設定システムが得られる。
【００１４】
【発明の実施の形態】
本発明における第１の発明は、パソコンから入力された設定データを格納するＷＷＷサーバと通信可能なファクシミリ装置を備えるファクシミリ設定システムであって、上記パソコンは、印字用紙サイズ、電話番号帳等に関する設定データを上記ＷＷＷサーバへ送信することが可能であり、上記ＷＷＷサーバは、上記パソコンからの設定データを保存し、かつ、前記ファクシミリ装置から要求があった場合、上記設定データを前記ファクシミリ装置へ送信するファクシミリ設定システムにおいて、前記ファクシミリ装置は、電話回線を介して上記ＷＷＷサーバに接続する接続手段と、当該接続手段による接続後に上記設定データを上記ＷＷＷサーバに要求する設定データ要求手段と、上記ＷＷＷサーバから送信された設定データを受信する設定データ受信手段と、上記要求した設定データを全て受信したか否かを判定する受信判定手段と、各種情報を表示する表示部と、を備え、設定可能な設定登録メニューが前記表示部に表示された状態にて前記接続手段を作動させることにより、前記設定データ受信手段により受信した設定データを前記受信判定手段の判定結果に基づいて上記設定登録メニューに自動的に設定するように構成した。
【００１５】
この構成により、ファクシミリ装置の機能をファクシミリ装置よりも遥かにキー数の多いパソコンから設定することができるので、ファクシミリ装置自体で機能設定する場合と比べ、機能設定が遥かに容易でかつ設定を迅速に行うことができるという作用を有する。
【００１６】
本発明における第２の発明は、パソコンから受信した設定データを格納し、かつファクシミリと電話回線を介して通信可能なＷＷＷサーバを備えるファクシミリ設定システムであって、上記パソコンは、印字用紙サイズ、電話番号帳等に関する設定データを上記ＷＷＷサーバへ送信することが可能であり、前記ＷＷＷサーバは、上記パソコンからの設定データを保存し、かつ、上記ファクシミリ装置から要求があった場合、上記設定データを上記ファクシミリ装置へ送信するファクシミリ設定システムにおいて、前記ＷＷＷサーバは、上記パソコンからの設定データを保存する保存手段と、上記ファクシミリからの要求に応じて上記設定データを上記ファクシミリに送信する送信手段と、上記ファクシミリからの接続要求に基づいてコーラーＩＤ機能により上記ファクシミリを特定するユーザ特定手段と、を備え、上記ファクシミリからの接続要求により、前記ユーザ特定手段は上記コーラーＩＤ機能により上記ファクシミリを特定し、前記送信手段は、自動的に上記特定されたファクシミリに上記設定データを送信するように構成した。
【００１７】
この構成により、正確かつ容易に設定可能な設定画面をＷＷＷサーバから得ることができ、また、選択肢データに基づいて設定情報を容易に選択することができ、選択した設定情報の設定データをＷＷＷサーバへ容易に送信することができるという作用を有する。
【００２４】
以下、本発明の実施の形態について、図１〜図１０を用いて説明する。
【００２５】
（実施の形態１）
図１は、本発明の実施の形態１によるファクシミリ設定システムを示すブロック図である。
【００２６】
図１において、ＣＰＵ１１、フラッシュメモリ１２、メニューキー１３、数字キー１４、ナビキー１５、設定キー１６、モデム１７は図１２と同様のものなので、同一符号を付し、説明は省略する。１はファクシミリ装置、２はファクシミリ装置１と電話回線３で接続されたＷＷＷサーバ、４はＷＷＷサーバ２と電話回線５で接続されたパソコンである。
【００２７】
図２は図１のファクシミリ設定システムを構成するパソコン４のＣＰＵ（図示せず）の構成を示す機能ブロック図であり、図３は図１のファクシミリ設定システムを構成するＷＷＷサーバ２のＣＰＵ（図示せず）の構成を示す機能ブロック図、図４は図１のファクシミリ設定システムを構成するファクシミリ装置１のＣＰＵ１１の構成を示す機能ブロック図である。
【００２８】
図２において、４１はログイン画面をＷＷＷサーバ２に要求するログイン画面要求手段、４２はＷＷＷサーバ２からのデータを受信する受信手段、４３はパソコン４の表示部（図示せず）に図形や文字などを表示させる表示手段、４４はデータを入力する入力手段、４５は設定画面をＷＷＷサーバ２に要求する設定画面要求手段、４６は選択肢データをＷＷＷサーバ２に要求する選択肢要求手段、４７は設定データを送信する設定データ送信手段、４８は全設定が終了したか否かを判定する終了判定手段、４９はＷＷＷサーバ２に設定終了を要求する設定終了要求手段、５０はＷＷＷサーバ２にログアウトを要求するログアウト要求手段である。
【００２９】
また、図３において、２１はデータを送信する送信手段、２２はデータを保存する保存手段、２３は着信を検知して着信処理を行う着信手段、２４はコーラＩＤでユーザを特定するユーザ特定手段、２５はデータを受信する受信手段、２６はデータ送信の終了を判定する終了判定手段、２７は処理を終了させる終了手段である。
【００３０】
また、図４において、１１１は設定登録を開始するための設定登録開始手段、１１２はＷＷＷサーバ２と回線接続するための接続手段、１１３はＷＷＷサーバ２に設定データを要求する設定データ要求手段、１１４はＷＷＷサーバ２から設定データを受信する設定データ受信手段、１１５は要求した設定データをすべて受信したか否かを判定する受信判定手段、１１６はデータを送信する送信手段、１１７は処理を終了させる終了手段である。
【００３１】
このように構成されたファクシミリ設定システムについて、その動作を図５〜図１０を用いて説明する。図５はパソコン４とＷＷＷサーバ２とについてのシーケンス動作を示すフローチャートであり、図６はファクシミリ装置１とＷＷＷサーバ２とについてのシーケンス動作を示すフローチャート、図７は初期画面としてのログイン画面を示す画面図、図８はログイン直後の画面を示す画面図、図９は設定画面を示す画面図、図１０はログアウト画面を示す画面図である。
【００３２】
図５において、まず、ログイン画面要求手段４１はログイン画面のデータをＷＷＷサーバ２に要求し、ＷＷＷサーバ２の送信手段２１はログイン画面のデータをパソコン４へ送信し（Ｓ１１）、送信されたログイン画面のデータを受信手段４２が受信し、表示手段４３はログイン画面（図７）を表示する（Ｓ１）。次に、入力手段４４は、キーボード等を介してログイン画面に電話番号やパスワードを入力し、それらのデータをＷＷＷサーバ２へ送信し、ＷＷＷサーバ２の送信手段２１はユーザを確認してメニューデータをパソコン４へ送信する（Ｓ１２）。受信手段４２で受信したメニューデータに基づき、パソコン４はユーザ専用メニュー（図８）にログインする（Ｓ２）。設定画面要求手段４５は、パソコン４の表示部に表示されたメニューに基づき、設定画面をＷＷＷサーバ２に要求し（具体的にはＦｕｎｃｔｉｏｎ  ＳｅｔｕｐまたはＰｈｏｎｅ  Ｄｉｒｅｃｔｏｒｙをクリックする）、ＷＷＷサーバ２の送信手段２１はプログラム設定メニューを送信し（Ｓ１３）、そのプログラム設定メニューデータを設定画面のデータとして受信手段４２は受信し、表示手段４３はプログラム設定メニュー画面（設定画面、図９）を表示する（Ｓ３）。
【００３３】
次に、各設定項目をクリックすると、選択肢要求手段４６はＷＷＷサーバ２に選択肢データを要求し、送信手段２１は選択肢データをパソコン４へ送信し（Ｓ１４）、パソコン４の表示手段４３は選択肢データを表示する（Ｓ４）。入力手段４４は、表示された選択肢データに基づき、設定項目（設定情報）毎に、設定データを入力し、設定データ送信手段４７は、入力された設定データをＷＷＷサーバ２へ送信し（Ｓ５）、ＷＷＷサーバ２は送信されてきた設定データをメモリ（図示せず）に保存する（Ｓ１５）。次に、ユーザが全設定が終了したと判断したときは、所定のボタン（図示せず）を押下する。所定のボタンの押下により終了判定手段４８は全設定が終了した（全設定データをＷＷＷサーバ２へ送信した）と判定する（Ｓ６）。所定のボタン押下までは、ステップＳ４、Ｓ５を繰り返す。次に、設定修了要求手段４９は設定終了をＷＷＷサーバ２に要求し、送信手段２１は操作案内画面（図１０の画面４）のデータをパソコン４へ送信し（Ｓ１６）、パソコン４の表示部は送信されてきた操作案内画面を表示し、それに基づき設定終了をクリック（Ｌｏｇｏｕｔをクリック）すると、ログアウト要求手段５０は、ログアウト（Ｌｏｇｏｕｔ）をＷＷＷサーバ２に要求し、送信手段２１はログアウト画面のデータをパソコン４へ送信し（Ｓ１７）、そのログアウト画面のデータに基づいてログアウト要求手段５０は、設定データの処理を終了させる（Ｓ８）。ログアウト後の画面は図７の画面１となる。
【００３４】
このようにしてパソコン４からＷＷＷサーバ２に対してファクシミリ装置１の機能設定のデータを送信することができる。なお、図５の処理はファクシミリ装置１について新規に機能を設定する場合や既に設定した機能を変更する場合などに行われるものである。また、設定情報（設定項目）としては例えば、会社名称等のロゴ、電話番号等のサブＩＤ、送信レポートの印字の有無、着信ベル回数、ＴＡＭ設定（リモートＩＤや録音時間）、印字用紙サイズ、転送先番号、ベル音色、電子電話帳、リングパターンによる着信時の電話ファクシミリの識別、ダイヤルモードなどがある。
【００３５】
次に、ファクシミリ装置１とＷＷＷサーバ２とについてのシーケンス動作を図６を用いて説明する。
【００３６】
図６において、まず、設定登録開始手段１１１は、所定キーのオンにより、設定登録メニューに入り、ファクシミリ装置１の表示部（図示せず）に設定登録メニューを表示する（Ｓ２１）。次に、接続手段１１２は、設定キー１６のオンにより、ＷＷＷサーバ２へダイヤル発呼を行い（Ｓ２２）、ＷＷＷサーバ２の着信手段２３は着信を検知して着信処理を行い（Ｓ３１）、ユーザ特定手段２４はコーラＩＤからユーザを特定する（Ｓ３２）。次に、設定データ要求手段１１３は設定データの送信をＷＷＷサーバ２に要求し（Ｓ２３）、この要求を受信手段２５で受信した後（Ｓ３３）、ＷＷＷサーバ２の送信手段２１は設定データを送信する（Ｓ３４）。ＣＰＵ１１の設定データ受信手段１１４はＷＷＷサーバ２からの設定データを受信し（Ｓ２４）、受信判定手段１１５は要求した設定データのすべてを受信したか否かを確認する（Ｓ２５、Ｓ２６）。設定データのすべては受信していないと判定したときはステップＳ２３に戻る。設定データのすべてを受信したと判定したときは送信手段１１６は、終了信号をＷＷＷサーバ２へ送信する（Ｓ２７）。
【００３７】
一方、ＷＷＷサーバ２の終了判定手段２６は、終了信号を受信したか否かを判定し（Ｓ３５、Ｓ３６）、終了信号を受信していないと判定したときはステップＳ３３に戻る。終了信号を受信したと判定したときは終了手段２７は電話回線を解放して処理を終了する（Ｓ３７）。ＣＰＵ１１側では、送信手段１１６が終了信号を送信した後、終了手段１１７は電話回線を解放して処理を終了する（Ｓ２８）。
【００３８】
このように、ファクシミリ装置１から機能設定のための設定データを要求することにより、ＷＷＷサーバ２から設定データを受信して機能を設定することができる。なお、図６の処理は、ファクシミリ装置１の新規購入時や設定変更時、交換時などに行われるものである。
【００３９】
以上のように本実施の形態によれば、パソコン４は、名称や印字用紙サイズ、ベル音色、電子電話帳などの設定情報の設定データをＷＷＷサーバ２へ送信することが可能であり、ＷＷＷサーバ２は、パソコン４からの設定データを保存することが可能で、ファクシミリ装置１から要求があったときに設定データをファクシミリ装置１へ送信することにより、ファクシミリ装置１の機能をファクシミリ装置１よりも遥かにキー数の多いパソコン４から設定することができるので、ファクシミリ装置１自体で機能設定する場合と比べ、機能設定が遥かに容易でかつ設定を迅速に行うことができる。
【００４０】
また、パソコン４は、設定画面をＷＷＷサーバ２へ要求する設定画面要求手段４５と、設定画面に基づいて各設定情報の選択肢データを要求する選択肢要求手段４６と、選択肢データに基づいて選択した各設定情報の設定データを入力する入力手段４４と、設定データをＷＷＷサーバ２へ送信する設定データ送信手段４７とを有することにより、正確かつ容易に設定可能な設定画面をＷＷＷサーバ２から得ることができ、また、選択肢データに基づいて設定情報を容易に選択することができ、選択した設定情報の設定データをＷＷＷサーバ２へ容易に送信することができる。
【００４１】
さらに、ファクシミリ装置１は、ＷＷＷサーバ２に対して設定データを要求する設定データ要求手段１１３と、要求した設定データを受信したか否かを判定する受信判定手段１１５とを有することにより、ＷＷＷサーバ２から設定データを容易に受信して自装置内に保存することができる。
【００４２】
さらに、ＷＷＷサーバ２は、設定画面と選択肢データとを送信する第１の送信手段２１と、パソコンからの設定データを保存する保存手段２２と、設定データ要求手段１１３からの要求に応じて設定データを送信する第２の送信手段２１とを有することにより、ＷＷＷサーバ２は、パソコン４から受信した設定データを保存し、その保存した設定データをファクシミリ装置１へ送信することができるので、設定データを容易かつ迅速に設定することができると共に、その設定データをファクシミリ装置１へ送信して保存させることができる。
【００４３】
【発明の効果】
本発明における請求項１の発明は、パソコンから入力された設定データを格納するＷＷＷサーバと通信可能なファクシミリ装置を備えるファクシミリ設定システムであって、上記パソコンは、印字用紙サイズ、電話番号帳等に関する設定データを上記ＷＷＷサーバへ送信することが可能であり、上記ＷＷＷサーバは、上記パソコンからの設定データを保存し、かつ、前記ファクシミリ装置から要求があった場合、上記設定データを前記ファクシミリ装置へ送信するファクシミリ設定システムにおいて、前記ファクシミリ装置は、電話回線を介して上記ＷＷＷサーバに接続する接続手段と、当該接続手段による接続後に上記設定データを上記ＷＷＷサーバに要求する設定データ要求手段と、上記ＷＷＷサーバから送信された設定データを受信する設定データ受信手段と、上記要求した設定データを全て受信したか否かを判定する受信判定手段と、各種情報を表示する表示部と、を備え、設定可能な設定登録メニューが前記表示部に表示された状態にて前記接続手段を作動させることにより、前記設定データ受信手段により受信した設定データを前記受信判定手段の判定結果に基づいて上記設定登録メニューに自動的に設定するように構成した。この構成において、ユーザは、設定登録メニューを表示部に表示した状態にて、上記ＷＷＷサーバに接続するだけで電話回線を介して上記ＷＷＷサーバから設定データを入手でき、更に、電話回線を介しながら、その設定データの全てを受信したことも確信できるため、設定操作が便利でありかつその確実性も高く、極めて使い勝手がよいという発明の効果がある。
【００４４】
本発明における請求項２の発明は、パソコンから受信した設定データを格納し、かつファクシミリと電話回線を介して通信可能なＷＷＷサーバを備えるファクシミリ設定システムであって、上記パソコンは、印字用紙サイズ、電話番号帳等に関する設定データを上記ＷＷＷサーバへ送信することが可能であり、上記ＷＷＷサーバは、上記パソコンからの設定データを保存し、かつ、上記ファクシミリ装置から要求があった場合、上記設定データを上記ファクシミリ装置へ送信するファクシミリ設定システムにおいて、前記ＷＷＷサーバは、上記パソコンからの設定データを保存する保存手段と、上記ファクシミリからの要求に応じて上記設定データを上記ファクシミリに送信する送信手段と、上記ファクシミリからの接続要求に基づいてコーラーＩＤ機能により上記ファクシミリを特定するユーザ特定手段と、を備え、上記ファクシミリからの接続要求により、前記ユーザ特定手段は上記コーラーＩＤ機能により上記ファクシミリを特定し、前記送信手段は、自動的に上記特定されたファクシミリに上記設定データを送信するように構成した。この構成において、ファックスのユーザは、上記ＷＷＷサーバと接続を行うことにより、極めて容易に設定データを入手することが可能という発明の効果がある。
【図面の簡単な説明】
【図１】本発明の実施の形態１によるファクシミリ設定システムを示すブロック図
【図２】図１のファクシミリ設定システムを構成するパソコンのＣＰＵの構成を示す機能ブロック図
【図３】図１のファクシミリ設定システムを構成するＷＷＷサーバのＣＰＵの構成を示す機能ブロック図
【図４】図１のファクシミリ設定システムを構成するファクシミリ装置のＣＰＵの構成を示す機能ブロック図
【図５】パソコンとＷＷＷサーバとについてのシーケンス動作を示すフローチャート
【図６】ファクシミリ装置とＷＷＷサーバとについてのシーケンス動作を示すフローチャート
【図７】初期画面としてのログイン画面を示す画面図
【図８】ログイン直後の画面を示す画面図
【図９】設定画面を示す画面図
【図１０】ログアウト画面を示す画面図
【図１１】一般的なファクシミリ装置を示すブロック図
【図１２】従来のファクシミリ装置における設定動作を示すフローチャート
【符号の説明】
１  ファクシミリ装置
２  ＷＷＷサーバ
３、５  電話回線
４  パソコン
１１  ＣＰＵ（中央処理装置）
１２  フラッシュメモリ
１３  メニューキー
１４  数字キー
１５  ナビキー
１６  設定キー
１７  モデム
２１、１１６  送信手段
２２  保存手段
２３  着信手段
２４  ユーザ特定手段
２５、４２  受信手段
２６、４８  終了判定手段
２７、１１７  終了手段
４１  ログイン画面要求手段
４３  表示手段
４４  入力手段
４５  設定画面要求手段
４６  選択肢要求手段
４７  設定データ送信手段
４９  設定終了要求手段
５０  ログアウト要求手段
１１１  設定登録開始手段
１１２  接続手段
１１３  設定データ要求手段
１１４  設定データ受信手段
１１５  受信判定手段
【図１】
0003899955.tif 000002
【図２】
0003899955.tif 000003
【図３】
0003899955.tif 000004
【図４】
0003899955.tif 000005
【図５】
0003899955.tif 000006
【図６】
0003899955.tif 000007
【図７】
0003899955.tif 000008
【図８】
0003899955.tif 000009
【図９】
0003899955.tif 000010
【図１０】
0003899955.tif 000011
【図１１】
0003899955.tif 000012
【図１２】
0003899955.tif 000013